(57)【要約】【課題】比較的狭い空間で使用可能なエレベータ用品揚重装置を提供する。【解決手段】一つの実施形態に係るエレベータ用品揚重装置は、第１の支持部品と、第２の支持部品と、揚重機とを備える。前記第１の支持部品は、載置されたエレベータ用品を下方から支持するよう構成された台と、第１の取付部と、を有する。前記第２の支持部品は、前記第１の支持部品が上下方向において移動可能に取り付けられた第１のガイドと、前記第１の取付部に対して上方に位置する第２の取付部と、を有する。前記揚重機は、前記第１の取付部と前記第２の取付部とに取り付けられて前記第１の支持部品を支持し、前記第１の支持部品を上下方向に移動させることが可能である。【選択図】図２
2020083594.tif 000002
【特許請求の範囲】
【請求項１】
載置されたエレベータ用品を下方から支持するよう構成された台と、第１の取付部と、を有する第１の支持部品と、
前記第１の支持部品が上下方向において移動可能に取り付けられた第１のガイドと、前記第１の取付部に対して上方に位置する第２の取付部と、を有する第２の支持部品と、
前記第１の取付部と前記第２の取付部とに取り付けられて前記第１の支持部品を支持し、前記第１の支持部品を上下方向に移動させることが可能な、揚重機と、
を具備するエレベータ用品揚重装置。
【請求項２】
前記第２の支持部品が水平な第１の方向において移動可能に取り付けられる第２のガイド、を有し、前記第２の支持部品を支持する第３の支持部品、
をさらに具備する、請求項１のエレベータ用品揚重装置。
【請求項３】
前記第２のガイドは、上下方向に延びる第１の壁と、前記第１の壁の上方の端部から、前記第１の方向と交差するとともに水平な第２の方向に延びる第２の壁と、前記第１の壁の下方の端部から前記第２の方向に延びる第３の壁と、を有し、
前記第２の支持部品は、前記第２の壁の上方に位置して前記第２の壁に沿って延びる第４の壁と、前記第４の壁の端部から下方に延びる第５の壁と、前記第５の壁に取り付けられて前記第２の壁と前記第３の壁との間に位置するガイドローラと、を有する、
請求項２のエレベータ用品揚重装置。
【請求項４】
前記揚重機は、前記第１の取付部から取り外し可能であり、
前記第１の支持部品は、前記台の下方に位置するローラを有し、前記第２の支持部品から取り外し可能であり、前記ローラにより走行可能である、
請求項１乃至請求項３のいずれか一つのエレベータ用品揚重装置。
【請求項５】
前記台は、前記エレベータ用品を支持するよう構成された載置面を有し、
前記第１の取付部は、上下方向における前記載置面と同一の位置、又は前記載置面よりも下方の位置、に設けられる、
請求項１乃至請求項４のいずれか一つのエレベータ用品揚重装置。
【発明の詳細な説明】
【技術分野】
【０００１】
本発明の実施形態は、エレベータ用品揚重装置に関する。
【背景技術】
【０００２】
巻上機のメインシーブのようなエレベータ用品を設置、除去、又は交換する場合に、エレベータ用品を所望の位置で吊るす揚重装置が用いられることがある。揚重装置は、例えば、エレベータ用品の上方に位置する滑車に掛けられたロープにより、エレベータ用品を吊るす。
【先行技術文献】
【特許文献】
【０００３】
【特許文献１】特開２０１７−２０６３２３号公報
【発明の概要】
【発明が解決しようとする課題】
【０００４】
揚重装置がエレベータ用品をロープにより吊るす場合、滑車をエレベータ用品の上方に配置するため、揚重装置が大型化する。しかし、エレベータ用品は、大型の揚重装置の使用が困難な、狭い機械室のような空間に配置されることがある。
【課題を解決するための手段】
【０００５】
一つの実施形態に係るエレベータ用品揚重装置は、第１の支持部品と、第２の支持部品と、揚重機とを備える。前記第１の支持部品は、載置されたエレベータ用品を下方から支持するよう構成された台と、第１の取付部と、を有する。前記第２の支持部品は、前記第１の支持部品が上下方向において移動可能に取り付けられた第１のガイドと、前記第１の取付部に対して上方に位置する第２の取付部と、を有する。前記揚重機は、前記第１の取付部と前記第２の取付部とに取り付けられて前記第１の支持部品を支持し、前記第１の支持部品を上下方向に移動させることが可能である。
【図面の簡単な説明】
【０００６】
【図１】図１は、第１の実施形態に係る巻上機及びメインシーブ交換治具を概略的に示す例示的な斜視図である。
【図２】図２は、第１の実施形態の巻上機及びメインシーブ交換治具を概略的に示す例示的な正面図である。
【図３】図３は、第１の実施形態の巻上機及びメインシーブ交換治具を概略的に示す例示的な側面図である。
【図４】図４は、第１の実施形態のメインシーブ交換治具を概略的に示す例示的な斜視図である。
【図５】図５は、第１の実施形態の支持台を概略的に示す例示的な斜視図である。
【図６】図６は、第１の実施形態の支持枠を概略的に示す例示的な斜視図である。
【図７】図７は、第１の実施形態の台枠を概略的に示す例示的な斜視図である。
【図８】図８は、第１の実施形態の支持台及び支持枠を図３のＦＡ−ＦＡ線に沿って概略的に示し、又は支持枠及び台枠を図３のＦＢ−ＦＢ線に沿って概略的に示した、例示的な断面図である。
【図９】図９は、第１の実施形態のメインシーブが取り外された巻上機及びメインシーブ交換治具を概略的に示す例示的な側面図である。
【図１０】図１０は、第１の実施形態の巻上機及びメインシーブを支持したメインシーブ交換治具を概略的に示す例示的な側面図である。
【図１１】図１１は、第１の実施形態の巻上機、メインシーブ交換治具、及び門型揚重治具を概略的に示す例示的な正面図である。
【図１２】図１２は、第１の実施形態の巻上機、メインシーブ交換治具、及び門型揚重治具を概略的に示す例示的な側面図である。
【図１３】図１３は、第２の実施形態に係る支持台を概略的に示す例示的な斜視図である。
【図１４】図１４は、第３の実施形態に係る支持台を概略的に示す例示的な斜視図である。
【発明を実施するための形態】
【０００７】
（第１の実施形態）
以下に、第１の実施形態について、図１乃至図１２を参照して説明する。なお、本明細書においては基本的に、鉛直上方を上方向、鉛直下方を下方向と定義する。また、本明細書において、実施形態に係る構成要素及び当該要素の説明について、複数の表現が記載されることがある。複数の表現がされた構成要素及び説明は、記載されていない他の表現がされても良い。さらに、複数の表現がされない構成要素及び説明も、記載されていない他の表現がされても良い。
【０００８】
また、各図面に示されるように、本明細書において、Ｘ軸、Ｙ軸及びＺ軸が定義される。Ｘ軸とＹ軸とＺ軸とは、互いに直交する。Ｘ軸及びＹ軸は、水平方向に配置される。Ｚ軸は、上下方向に配置される。
【０００９】
図１は、第１の実施形態に係る巻上機１０及びメインシーブ交換治具２０を概略的に示す例示的な斜視図である。図２は、第１の実施形態の巻上機１０及びメインシーブ交換治具２０を概略的に示す例示的な正面図である。図３は、第１の実施形態の巻上機１０及びメインシーブ交換治具２０を概略的に示す例示的な側面図である。
【００１０】
図１に示すように、エレベータ１に設けられた空間５に、巻上機１０が配置される。本実施形態における空間５は、機械室である。なお、空間５は、この例に限られず、例えば機械室レスのエレベータ１においては昇降路であっても良い。
【００１１】
図３に示すように、巻上機１０は、本体１１と、軸１２と、メインシーブ１３とを有する。メインシーブ１３は、エレベータ用品の一例である。なお、エレベータ用品は、他の部品又は部材であっても良い。
【００１２】
本体１１は、空間５に設けられたマシンベッド１５に載置及び固定される。マシンベッド１５は、第１のベッド１６と、第２のベッド１７と、複数の防振ゴム１８とを有する。なお、マシンベッド１５は、この例に限られない。
【００１３】
第１のベッド１６は、空間５の床５ａに載置される。第２のベッド１７は、第１のベッド１６の上方に位置する。防振ゴム１８は、第１のベッド１６と第２のベッド１７との間に介在する。
【００１４】
防振ゴム１８は、第１のベッド１６と第２のベッド１７との間で、振動を減衰する。第２のベッド１７及び防振ゴム１８が設けられることで、マシンベッド１５に載置される巻上機１０の位置が高くなる。
【００１５】
軸１２は、本体１１からＹ軸方向に突出する。Ｙ軸方向は、水平な方向であり、第１の方向の一例である。Ｙ軸方向は、奥行き方向とも称され得る。本実施形態では、軸１２は、本体１１からＹ軸の負方向（Ｙ軸の矢印の反対方向、後方向）に突出する。メインシーブ１３は、軸１２に取り外し可能に取り付けられる。巻上機１０は、軸１２を介してメインシーブ１３を回転させる。
【００１６】
巻上機１０のメインシーブ１３を交換する場合に、メインシーブ交換治具２０が用いられる。メインシーブ交換治具２０は、エレベータ用品揚重装置の一例であり、揚重治具とも称され得る。なお、メインシーブ交換治具２０は、メインシーブ１３の設置又は除去のような他の用途に用いられても良い。
【００１７】
メインシーブ交換治具２０は、支持台２１と、支持枠２２と、二つの揚重機２３と、台枠２４と、複数の支持足２５とを有する。支持台２１は、第１の支持部品の一例である。支持枠２２は、第２の支持部品の一例である。台枠２４は、第３の支持部品の一例である。
【００１８】
図４は、第１の実施形態のメインシーブ交換治具２０を概略的に示す例示的な斜視図である。図５は、第１の実施形態の支持台２１を概略的に示す例示的な斜視図である。図６は、第１の実施形態の支持枠２２を概略的に示す例示的な斜視図である。図７は、第１の実施形態の台枠２４を概略的に示す例示的な斜視図である。図４乃至図７におけるメインシーブ交換治具２０及びその部品の形状は、より具体的に示されるため、図１乃至図３におけるメインシーブ交換治具２０及びその部品の形状と若干異なる。
【００１９】
図５に示すように、支持台２１は、台３１と、二つの第１のスライド部３２と、複数の第１の補強材３３と、二つの吊り具３４とを有する。吊り具３４は、第１の取付部の一例である。
【００２０】
台３１は、二つの第１の延材４１と、第２の延材４２と、第３の延材４３とを有する。なお、台３１はこの例に限られない。第１の延材４１、第２の延材４２、及び第３の延材４３は、例えば、Ｃ形鋼（溝形鋼、チャンネル）である。
【００２１】
二つの第１の延材４１は、互いにＸ軸方向に離間するとともに、Ｙ軸方向に略平行に延びる。Ｘ軸方向は、Ｙ軸方向と直交（交差）する水平な方向であり、第２の方向の一例である。二つの第１の延材４１の間の距離は、メインシーブ１３の直径よりも短い。なお、二つの第１の延材４１の間の距離はこの例に限られない。
【００２２】
第２の延材４２は、Ｘ軸方向に延び、Ｙ軸の正方向（Ｙ軸の矢印が示す方向、前方向）における二つの第１の延材４１の端部に接続される。第３の延材４３は、Ｘ軸方向に延び、Ｙ軸の負方向における二つの第１の延材４１の端部に、第１のスライド部３２を介して接続される。
【００２３】
図２及び図３に示すように、台３１は、略上方向（Ｚ軸の矢印が示す方向）に向く載置面３１ａを有する。載置面３１ａは、第１の延材４１、第２の延材４２、及び第３の延材４３の上面によって形成される。なお、載置面３１ａはこの例に限られず、例えば、第１の延材４１、第２の延材４２、及び第３の延材４３に支持された板材によって形成されても良い。
【００２４】
載置面３１ａにメインシーブ１３が載置されることで、台３１の載置面３１ａは、メインシーブ１３を下方から支持する。なお、載置面３１ａの縁にメインシーブ１３が載置され、載置面３１ａの当該縁がメインシーブ１３を下方から支持しても良い。
【００２５】
図５に示すように、第１のスライド部３２は、Ｙ軸の負方向における第１の延材４１の端部と、Ｘ軸方向における第３の延材４３の端部と、に接続される。第１のスライド部３２は、第１の延材４１及び第３の延材４３から上方向に延びる。
【００２６】
第１のスライド部３２はそれぞれ、例えばＬ形鋼（山形鋼）により形成される側壁４５及び前壁４６と、複数のガイドローラ４７とを有する。側壁４５は、Ｙ−Ｚ平面で広がる板状に形成される。前壁４６は、Ｙ軸の正方向における側壁４５の端部からＸ軸方向に突出し、Ｘ−Ｚ平面で広がる板状に形成される。側壁４５に、第３の延材４３が接続される。前壁４６に、第１の延材４１が接続される。ガイドローラ４７は、Ｘ軸方向に延びる中心軸まわりに回転可能に、側壁４５に取り付けられる。複数のガイドローラ４７は、上下方向に間隔を介して並べられる。
【００２７】
第１の補強材３３は、台３１と第１のスライド部３２とに接続される。例えば、二つの第１の補強材３３が、斜め方向に延び、第１の延材４１と前壁４６に接続される。また、他の二つの第１の補強材３３が、斜め方向に延び、第３の延材４３と側壁４５とに接続される。
【００２８】
吊り具３４は、台３１に設けられる。本実施形態において、吊り具３４は、第３の延材４３からＹ軸の負方向に突出する、略環状の部材である。二つの吊り具３４は、Ｘ軸方向に互いに離間する。
【００２９】
吊り具３４は、載置面３１ａよりも下方の位置に設けられる。なお、吊り具３４は、上下方向における載置面３１ａと同一の位置に設けられても良い。上下方向において、吊り具３４の上端と下端との間に載置面３１ａが位置することで、吊り具３４と載置面３１ａとが上下方向における同一の位置に設けられる。
【００３０】
図６に示すように、支持枠２２は、二つの第１のガイドレール５１と、梁材５２と、二つの第２のスライド部５３と、二つの第２の補強材５４と、二つの吊元５５とを有する。第１のガイドレール５１は、第１のガイドの一例である。吊元５５は、第２の取付部の一例である。
【００３１】
二つの第１のガイドレール５１は、互いにＸ軸方向に離間するとともに、上下方向に略平行に延びる。第１のガイドレール５１はそれぞれ、例えばＣ形鋼により形成される側壁６１、前壁６２、及び後壁６３を有する。
【００３２】
側壁６１は、Ｙ−Ｚ平面で広がる板状に形成される。前壁６２は、Ｙ軸の正方向における側壁６１の端部からＸ軸方向に突出する。後壁６３は、Ｙ軸の負方向における側壁６１の端部からＸ軸方向に突出する。一方の第１のガイドレール５１の前壁６２及び後壁６３と、他方の第１のガイドレール５１の前壁６２及び後壁６３とは、互いに近付く方向に延びる。前壁６２及び後壁６３はそれぞれ、Ｘ−Ｚ平面で広がる板状に形成される。
【００３３】
第１のガイドレール５１の内側に、第１の収容部５１ａが設けられる。第１の収容部５１ａは、第１のガイドレール５１の内側の空間であり、側壁６１、前壁６２、及び後壁６３によって形成（規定）される。第１の収容部５１ａは、少なくとも下方の端部において第１のガイドレール５１の外部に開いている。
【００３４】
梁材５２は、Ｘ軸方向に延び、二つの第１のガイドレール５１の上方の端部に接続される。梁材５２は、第１の収容部５１ａの上方の端部を塞ぐ。なお、第１の収容部５１ａの上方の端部は、第１のガイドレール５１の外部に開いていても良い。
【００３５】
第２のスライド部５３は、第１のガイドレール５１の下方の端部に接続される。第２のスライド部５３は、第１のガイドレール５１から、Ｙ軸の正方向及び負方向に延びる。第２のスライド部５３はそれぞれ、例えばＬ形鋼により形成される側壁６５及び上壁６６と、複数のガイドローラ６７とを有する。側壁６５は、第５の壁の一例である。上壁６６は、第４の壁の一例である。
【００３６】
側壁６５は、Ｙ−Ｚ平面で広がる板状に形成される。側壁６５に、第１のガイドレール５１の側壁６１が接続される。上壁６６は、側壁６５の上方の端部からＸ軸方向に突出し、Ｘ−Ｙ平面で広がる板状に形成される。別の表現によれば、側壁６５は、上壁６６の端部から下方に延びる。ガイドローラ６７は、Ｘ軸方向に延びる中心軸まわりに回転可能に、側壁６５に取り付けられる。複数のガイドローラ６７は、Ｙ軸方向に間隔を介して並べられる。
【００３７】
第２の補強材５４は、第１のガイドレール５１と第２のスライド部５３とに接続される。例えば、第２の補強材５４は、斜め方向に延び、第１のガイドレール５１の側壁６１と、第２のスライド部５３の上壁６６とに接続される。
【００３８】
吊元５５は、梁材５２に設けられる。本実施形態において、吊元５５は、梁材５２からＹ軸の負方向に突出する、略環状の部材である。二つの吊元５５は、Ｘ軸方向に互いに離間する。
【００３９】
図４に示すように、第１のガイドレール５１に、支持台２１が上下方向において移動可能に取り付けられる。本実施形態では、支持台２１の第１のスライド部３２が、第１のガイドレール５１に取り付けられる。
【００４０】
図８は、第１の実施形態の支持台２１及び支持枠２２を図３のＦＡ−ＦＡ線に沿って概略的に示し、又は支持枠２２及び台枠２４を図３のＦＢ−ＦＢ線に沿って概略的に示した、例示的な断面図である。図８に示すように、第１のガイドレール５１の第１の収容部５１ａに、第１のスライド部３２のガイドローラ４７が収容される。このため、ガイドローラ４７は、前壁６２と後壁６３との間に位置する。複数のガイドローラ４７が前壁６２又は後壁６３に当接することで、支持台２１の回転が制限される。
【００４１】
第１のスライド部３２の前壁４６は、第１のガイドレール５１の前壁６２に沿って上下方向に延びる。第１のガイドレール５１の前壁６２は、第１のスライド部３２の前壁４６とガイドローラ４７との間に位置する。これにより、第１のスライド部３２が第１のガイドレール５１から外れることが抑制される。
【００４２】
ガイドローラ４７は、第１のガイドレール５１の前壁６２又は後壁６３で転動可能である。これにより、支持台２１は、上下方向において移動可能に第１のガイドレール５１に取り付けられる。なお、支持台２１は、上下方向において移動可能であれば、上下方向と異なる方向に移動しても良い。例えば、支持台２１は、斜め前方向又は斜め後ろ方向に移動可能に第１のガイドレール５１に取り付けられても良い。
【００４３】
図４に示すように、支持台２１が第１のガイドレール５１に取り付けられると、吊元５５が対応する吊り具３４に対して上方に位置する。吊元５５は、対応する吊り具３４に対して水平方向においてずれた位置にあっても良い。
【００４４】
本実施形態において、揚重機２３は、チェーンブロックである。なお、揚重機２３は、この例に限られない。揚重機２３はそれぞれ、ブレーキ部７１と、ロードチェーン７２と、ハンドチェーン７３と、上フック７４と、下フック７５とを有する。
【００４５】
ブレーキ部７１は、歯車及び軸のような部品と、当該部品を収容するハウジングとを有する。ロードチェーン７２及びハンドチェーン７３は、ブレーキ部７１から垂れ下がっている。ブレーキ部７１は、ロードチェーン７２及びハンドチェーン７３を巻き取り及び繰り出し可能である。ブレーキ部７１は、ロードチェーン７２及びハンドチェーン７３を減速させる。
【００４６】
上フック７４は、ブレーキ部７１のハウジングに設けられる。上フック７４は、支持枠２２の吊元５５に取り付けられる。これにより、揚重機２３は、吊元５５に吊り下げられる。
【００４７】
下フック７５は、ロードチェーン７２の端部に設けられる。下フック７５は、支持台２１の吊り具３４に取り付けられる。これにより、揚重機２３は、支持台２１を吊るし、支持台２１を支持する。
【００４８】
ブレーキ部７１がロードチェーン７２を減速しているため、ハンドチェーン７３が操作されない状態では、揚重機２３に吊るされた支持台２１は略同一位置に保持される。ハンドチェーン７３が操作されることで、ロードチェーン７２がブレーキ部７１により巻き取られ又は繰り出される。これにより、揚重機２３は、支持台２１を上下方向に移動させる。このように、本実施形態の揚重機２３は手動で操作されるが、揚重機２３は、例えばモータ又はアクチュエータにより電動で支持台２１を上下方向に移動させても良い。
【００４９】
支持台２１の二つの第１のスライド部３２にそれぞれ、第１の目盛７７が設けられる。さらに、支持枠２２の二つの第１のガイドレール５１にそれぞれ、上下方向に並ぶ複数の第２の目盛７８が設けられる。第１の目盛７７と第２の目盛７８とは、隣接する位置に設けられる。第２の目盛７８に対する第１の目盛７７の位置を確認することで、支持台２１が上下方向に平行移動するように揚重機２３を操作することが容易になる。
【００５０】
図７に示すように、台枠２４は、二つの第２のガイドレール８１と、梁材８２とを有する。第２のガイドレール８１は、第２のガイドの一例である。二つの第２のガイドレール８１は、互いにＸ軸方向に離間するとともに、Ｙ軸方向に略平行に延びる。
【００５１】
第２のガイドレール８１はそれぞれ、例えばＣ形鋼により形成される側壁８５、上壁８６、及び下壁８７を有する。側壁８５は、第１の壁の一例である。上壁８６は、第２の壁の一例である。下壁８７は、第３の壁の一例である。
【００５２】
側壁８５は、Ｙ−Ｚ平面で広がる板状に形成され、上下方向に延びる。上壁８６は、側壁８５の上方の端部からＸ軸方向に延びる。下壁８７は、側壁８５の下方の端部からＸ軸方向に延びる。一方の第２のガイドレール８１の上壁８６及び下壁８７と、他方の第２のガイドレール８１の上壁８６及び下壁８７とは、互いに近付く方向に延びる。上壁８６及び下壁８７はそれぞれ、Ｘ−Ｙ平面で広がる板状に形成される。
【００５３】
第２のガイドレール８１の内側に、第２の収容部８１ａが設けられる。第２の収容部８１ａは、第２のガイドレール８１の内側の空間であり、側壁８５、上壁８６、及び下壁８７によって形成（規定）される。第２の収容部８１ａは、少なくともＹ軸の負方向の端部において第２のガイドレール８１の外部に開いている。
【００５４】
梁材８２は、Ｘ軸方向に延び、Ｙ軸の正方向における二つの第２のガイドレール８１の端部に接続される。梁材８２は、Ｙ軸の正方向における第２の収容部８１ａの端部を塞ぐ。なお、Ｙ軸の正方向における第２の収容部８１ａの端部は、第２のガイドレール８１の外部に開いていても良い。
【００５５】
図４に示すように、第２のガイドレール８１に、支持枠２２がＹ軸方向において移動可能に取り付けられる。本実施形態では、支持枠２２の第２のスライド部５３が、第２のガイドレール８１に取り付けられる。
【００５６】
図８に示すように、第２のガイドレール８１の第２の収容部８１ａに、第２のスライド部５３のガイドローラ６７が収容される。このため、ガイドローラ６７は、上壁８６と下壁８７との間に位置する。
【００５７】
ガイドローラ６７は、第２のガイドレール８１の下壁８７に支持される。これにより、台枠２４が支持枠２２を支持する。複数のガイドローラ６７が上壁８６又は下壁８７に当接することで、支持枠２２の回転が制限される。
【００５８】
第２のスライド部５３の上壁６６は、第２のガイドレール８１の上壁８６の上方に位置し、当該上壁８６に沿って延びる。第２のガイドレール８１の上壁８６が第２のスライド部５３の上壁６６を支持し、荷重を分散しても良い。
【００５９】
第２のガイドレール８１の上壁８６は、第２のスライド部５３の上壁６６とガイドローラ６７との間に位置する。これにより、第２のスライド部５３が第２のガイドレール８１から外れることが抑制される。
【００６０】
ガイドローラ６７は、第２のガイドレール８１の上壁８６又は下壁８７で転動可能である。これにより、支持枠２２は、Ｙ軸方向において移動可能に第２のガイドレール８１に取り付けられる。なお、支持枠２２は、Ｙ軸方向において移動可能であれば、Ｙ軸方向と異なる方向に移動しても良い。例えば、支持枠２２は、斜め上方向又は斜め下方向に移動可能に第２のガイドレール８１に取り付けられても良い。
【００６１】
支持台２１、支持枠２２、揚重機２３、及び台枠２４は、互いに取り外し可能に取り付けられる。具体的には、支持台２１の第１のスライド部３２は、支持枠２２の第１のガイドレール５１から下方に抜くことで取り外し可能である。支持枠２２の第２のスライド部５３は、台枠２４の第２のガイドレール８１からＹ軸の負方向に抜くことで取り外し可能である。揚重機２３の上フック７４は吊元５５から取り外し可能であり、下フック７５は吊り具３４から取り外し可能である。
【００６２】
図２に示すように、支持足２５は、台枠２４に取り付けられる。支持足２５は、空間５の床５ａと台枠２４との間に介在し、台枠２４を支持する。支持足２５は、メインシーブ交換治具２０が倒れることを抑制する。
【００６３】
以下に、メインシーブ交換治具２０を用いたメインシーブ１３の交換方法の一例について説明する。なお、メインシーブ交換治具２０の使用方法は、以下に説明される例に限られない。
【００６４】
まず、空間５に、支持台２１、支持枠２２、揚重機２３、台枠２４、及び支持足２５を搬入し、空間５でメインシーブ交換治具２０を組み立てる。支持台２１、支持枠２２、揚重機２３、台枠２４、及び支持足２５は、分離されることで、容易に運搬可能となる。なお、既に組み立てられたメインシーブ交換治具２０が空間５に搬入されても良い。上述のように、支持台２１、支持枠２２、揚重機２３、及び台枠２４は、互いに取り外し可能であるため、容易に組み立て可能である。
【００６５】
図３に示すように、台枠２４は、マシンベッド１５の第２のベッド１７に載置される。支持足２５は、第２のベッド１７からＹ軸の負方向に離間した位置で、空間５の床５ａと台枠２４との間に介在し、台枠２４を支持する。
【００６６】
メインシーブ交換治具２０が組み立てられ、台枠２４がマシンベッド１５に載置された状態で、メインシーブ交換治具２０のうち最も上方に位置する部分（頂部）２０ａは、巻上機１０の最も上方に位置する部分（頂部）１０ａよりも低い。このため、図４の吊元５５は、上下方向において、巻上機１０の頂部１０ａよりも下方に位置する。本実施形態における巻上機１０の頂部１０ａは、メインシーブ１３の頂部である。別の表現によれば、メインシーブ交換治具２０の全長は、マシンベッド１５及びそれに載置された巻上機１０の全長よりも低い。
【００６７】
メインシーブ交換治具２０の全長がマシンベッド１５及び巻上機１０の全長より低いため、メインシーブ交換治具２０は狭い空間５でも、搬入及び使用が可能となる。このため、マシンベッド１５及び巻上機１０の全長に応じて、当該全長よりも低い全長を有するメインシーブ交換治具２０が、メインシーブ１３の交換に用いられる。なお、メインシーブ交換治具２０の全長と巻上機１０の全長とは、この例に限られない。
【００６８】
次に、支持台２１が第１のガイドレール５１に沿って下方に移動させられ、支持枠２２が第２のガイドレール８１に沿ってＹ軸の正方向に移動させられる。支持台２１の台３１が、メインシーブ１３の下方に配置される。このとき、台３１は、メインシーブ１３から下方に離間している。
【００６９】
次に、図３の矢印に示すように、揚重機２３を操作することで、支持台２１が上方に移動させられる。支持台２１は、台３１がメインシーブ１３に当接するまで移動させられる。これにより、メインシーブ１３が台３１に載置され、台３１がメインシーブ１３を下方から支持する。台３１はメインシーブ１３から荷重を受けるが、揚重機２３のブレーキ部７１により、略同一位置に保たれる。
【００７０】
図９は、第１の実施形態のメインシーブ１３が取り外された巻上機１０及びメインシーブ交換治具２０を概略的に示す例示的な側面図である。次に、図９に示すように、例えば火器を用いてメインシーブ１３が加熱され、メインシーブ１３が軸１２から取り外される。支持枠２２を第２のガイドレール８１に沿ってＹ軸の負方向に移動させることで、メインシーブ１３が軸１２から引き抜かれる。
【００７１】
図１０は、第１の実施形態の巻上機１０及びメインシーブ１３を支持したメインシーブ交換治具２０を概略的に示す例示的な側面図である。次に、図１０に示すように、揚重機２３を操作することで、メインシーブ１３を支持した支持台２１が下方に移動させられる。
【００７２】
次に、支持枠２２を第２のガイドレール８１に沿ってＹ軸の負方向に移動させることで、メインシーブ１３が巻上機１０及びマシンベッド１５から離間した位置に移動させられる。Ｙ軸の負方向は、巻上機１０から遠ざかる方向である。このとき、支持足２５が台枠２４を支持することで、メインシーブ１３の重量によりメインシーブ交換治具２０が倒れることが抑制される。なお、支持枠２２の移動は、支持台２１の移動よりも先に行われても良いし、支持台２１の移動と同時に行われても良い。
【００７３】
図１１は、第１の実施形態の巻上機１０、メインシーブ交換治具２０、及び門型揚重治具９０を概略的に示す例示的な正面図である。図１２は、第１の実施形態の巻上機１０、メインシーブ交換治具２０、及び門型揚重治具９０を概略的に示す例示的な側面図である。
【００７４】
図１１に示すように、次に、空間５に、門型揚重治具９０が搬入及び設置される。門型揚重治具９０は、二つの柱９１と、梁９２と、複数のローラ９３と、揚重機９４とを有する。
【００７５】
二つの柱９１は、互いにＸ軸方向に離間するとともに、上下方向に略平行に延びる。二つの柱９１の間に、巻上機１０、マシンベッド１５、及びメインシーブ交換治具２０が配置される。梁９２は、Ｘ軸方向に延び、柱９１の上方の端部に接続される。
【００７６】
ローラ９３は、柱９１の下方の端部に設けられる。ローラ９３が床５ａを転動することで、門型揚重治具９０は、Ｙ軸方向に移動可能である。揚重機９４は、例えば、揚重機２３と同じくチェーンブロックである。揚重機９４は、梁９２に、Ｘ軸方向に移動可能に取り付けられる。
【００７７】
門型揚重治具９０の全長は、巻上機１０の全長よりも高い。しかし、門型揚重治具９０の全長は、空間５の全長よりも低い。このような大きさの本実施形態の門型揚重治具９０は、巻上機１０のメインシーブ１３を交換するための治具としては小型であり、軸１２に取り付けられた位置におけるメインシーブ１３を吊るすことが困難である。
【００７８】
上述のように、メインシーブ１３は、メインシーブ交換治具２０によって軸１２から取り外され、下方に移動させられている。このため、メインシーブ１３は、門型揚重治具９０により吊り上げられることが可能な位置に配置されている。
【００７９】
門型揚重治具９０の揚重機９４は、支持台２１の台３１に支持されたメインシーブ１３を吊り上げる。揚重機９４がＸ軸方向に移動させられることで、メインシーブ１３が台３１の上から移動する。
【００８０】
次に、作業者により門型揚重治具９０に吊り上げられたメインシーブ１３が、新たなメインシーブ１３に交換される。新たなメインシーブ１３は、門型揚重治具９０により、支持台２１の台３１に載置される。
【００８１】
次に、例えば、図３，９，１０で示した手順を逆に行うことで、メインシーブ１３が巻上機１０の軸１２に取り付けられる。以上により、巻上機１０のメインシーブ１３が交換される。
【００８２】
以上説明された第１の実施形態に係るメインシーブ交換治具２０において、支持台２１の台３１は、当該台３１に載置されたメインシーブ１３を下から支持する。揚重機２３は、支持台２１の吊り具３４と、吊り具３４に対して上方に位置する支持枠２２の吊元５５とに取り付けられ、支持台２１を上下方向に移動させることが可能である。このため、揚重機２３が取り付けられる吊り具３４及び吊元５５の位置を、メインシーブ１３の大きさの制約を受けずに設定することができる。これにより、例えば、吊元５５の位置をメインシーブ１３の頂部１０ａよりも下方に配置してメインシーブ交換治具２０の高さを低くすることができ、比較的狭い空間５でメインシーブ交換治具２０が使用可能となる。
【００８３】
一般的に、メインシーブ１３を上から吊るす場合、メインシーブ１３が振られる（揺れる）おそれがある。しかし、本実施形態では、台３１がメインシーブ１３を下から支持するため、メインシーブ１３が振られることが抑制され、安全性が向上する。
【００８４】
台枠２４は、支持枠２２が水平なＹ軸方向において移動可能に取り付けられる第２のガイドレール８１を有し、支持枠２２を支持する。これにより、台３１に支持されるメインシーブ１３を水平方向に容易に移動させることが可能となる。従って、メインシーブ１３を設置、除去、又は交換する際に、メインシーブ１３を巻上機１０の軸１２に対して容易に設置又は除去することができる。
【００８５】
第２のガイドレール８１は、上下方向に延びる側壁８５と、側壁８５の上方の端部から水平なＸ軸方向に延びる上壁８６と、側壁８５の下方の端部からＸ軸方向に延びる下壁８７と、を有する。支持枠２２は、上壁８６の上方に位置して上壁８６に沿って延びる上壁６６と、上壁６６の端部から下方に延びる側壁６５と、側壁６５に取り付けられて上壁８６と下壁８７との間に位置するガイドローラ６７と、を有する。すなわち、第２のガイドレール８１の上壁８６が、支持枠２２の上壁６６とガイドローラ６７との間に配置される。これにより、ガイドローラ６７が上壁８６又は下壁８７で転動することで支持枠２２がＹ軸方向に滑らかに移動することが可能となるとともに、支持枠２２が第２のガイドレール８１から望まれない外れ方をすることが抑制される。
【００８６】
吊り具３４は、上下方向における載置面３１ａと同一の位置、又は載置面３１ａよりも下方の位置、に設けられる。これにより、吊り具３４及び吊元５５の位置をより下方に配置しやすくなる。従って、メインシーブ交換治具２０の高さを低くすることができ、比較的狭い空間５でメインシーブ交換治具２０が使用可能となる。
【００８７】
台枠２４は、マシンベッド１５に載置される。さらに、支持足２５が、床５ａと台枠２４との間に介在し、台枠２４を支持する。これにより、メインシーブ交換治具２０及び支持されたメインシーブ１３の重さによる荷重が、マシンベッド１５と床５ａとに分散される。これにより、台枠２４の構造を簡略化することができるとともに、台枠２４及び支持足２５の大型化を抑制して、メインシーブ交換治具２０による空間５の占有率の増加も抑制することができる。
【００８８】
（第２の実施形態）
以下に、第２の実施形態について、図１３を参照して説明する。なお、以下の複数の実施形態の説明において、既に説明された構成要素と同様の機能を持つ構成要素は、当該既述の構成要素と同じ符号が付され、さらに説明が省略される場合がある。また、同じ符号が付された複数の構成要素は、全ての機能及び性質が共通するとは限らず、各実施形態に応じた異なる機能及び性質を有していても良い。
【００８９】
図１３は、第２の実施形態に係る支持台２１を概略的に示す例示的な斜視図である。図１３に示すように、第２の実施形態の支持台２１は、複数のローラ１０１を有する。ローラ１０１は、台３１の下方に位置し、例えば、台３１の下面に取り付けられる。
【００９０】
第１の実施形態の図１０のように、軸１２から取り外されたメインシーブ１３が台３１に載置され、支持台２１が巻上機１０から離間した位置に配置される。その後、本実施形態では、例えば、支持台２１が、支持枠２２及び揚重機２３から取り外され、図１１の門型揚重治具９０に吊り上げられる。
【００９１】
門型揚重治具９０が支持台２１を下方に移動させることで、ローラ１０１が床５ａに当接する。支持台２１は、門型揚重治具９０から取り外されると、ローラ１０１により走行可能となる。これにより、支持台２１は、台車のようにメインシーブ１３を運搬することができる。
【００９２】
台３１に載置されたメインシーブ１３が新たなメインシーブ１３に載せ替えられると、支持台２１が新たなメインシーブ１３を運搬する。新たなメインシーブ１３を支持する支持台２１は、門型揚重治具９０に吊り上げられ、支持枠２２及び揚重機２３に再度取り付けられる。このように、メインシーブ１３を他の台車に乗せ換えることなく、メインシーブ１３が交換される。
【００９３】
以上説明された第２の実施形態のメインシーブ交換治具２０において、揚重機２３は、吊り具３４から取り外し可能である。支持台２１は、台３１の下方に位置するローラ１０１を有し、支持枠２２から取り外されることで、ローラ１０１により走行可能である。これにより、台３１に載置されたメインシーブ１３を、他の台車に乗せ換えることなく搬送することが可能となる。
【００９４】
（第３の実施形態）
以下に、第３の実施形態について、図１４を参照して説明する。図１４は、第３の実施形態に係る支持台２１を概略的に示す例示的な斜視図である。図１４に示すように、第３の実施形態の台３１は、二つの第１の延材４１と、第３の延材４３とを有する。二つの第１の延材４１は、Ｘ軸方向に移動可能に第３の延材４３に取り付けられる。言い換えると、二つの第１の延材４１の間の距離は変更可能である。例えば、第３の延材４３がブレーキを有し、第１の延材４１を減速させる。
【００９５】
二つの第１の延材４１の間の距離は、メインシーブ１３の直径よりも短くなるように設定される。これにより、一種類の支持台２１により、複数種類のメインシーブ１３を支持することが可能となる。
【００９６】
以上説明された第３の実施形態のメインシーブ交換治具２０において、台３１は、互いにＸ軸方向に離間するとともにＹ軸方向に延びる二つの第１の延材４１を有し、二つの第１の延材４１の間の距離を変更可能である。これにより、メインシーブ１３の直径によらず、メインシーブ交換治具２０を使用することができる。
【００９７】
以上の実施形態において、支持台２１が取り付けられた支持枠２２が、Ｙ軸方向において移動可能に台枠２４に取り付けられる。しかし、例えば、支持台２１が、台３１をＹ軸方向に移動可能な機構を有しても良い。
【００９８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９９】
１３…メインシーブ（エレベータ用品）、２０…メインシーブ交換治具（エレベータ用品揚重装置）、２１…支持台（第１の支持部品）、２２…支持枠（第２の支持部品）、２３…揚重機、２４…台枠（第３の支持部品）、３１…台、３１ａ…載置面、３４…吊り具（第１の取付部）、５１…第１のガイドレール（第１のガイド）、５５…吊元（第２の取付部）、６５…側壁（第５の壁）、６６…上壁（第４の壁）、６７…ガイドローラ、８１…第２のガイドレール（第２のガイド）、８５…側壁（第１の壁）、８６…上壁（第２の壁）、８７…下壁（第３の壁）、１０１…ローラ。
【図１】
2020083594.tif 000003
【図２】
2020083594.tif 000004
【図３】
2020083594.tif 000005
【図４】
2020083594.tif 000006
【図５】
2020083594.tif 000007
【図６】
2020083594.tif 000008
【図７】
2020083594.tif 000009
【図８】
2020083594.tif 000010
【図９】
2020083594.tif 000011
【図１０】
2020083594.tif 000012
【図１１】
2020083594.tif 000013
【図１２】
2020083594.tif 000014
【図１３】
2020083594.tif 000015
【図１４】
2020083594.tif 000016
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
台と、第１の取付部と、を有する第１の支持部品と、
前記第１の支持部品が上下方向において移動可能に取り付けられた第１のガイドと、前記第１の取付部に対して上方に位置する第２の取付部と、を有する第２の支持部品と、
前記第１の取付部と前記第２の取付部とに取り付けられて前記第１の支持部品を支持し、前記第１の支持部品を上下方向に移動させることが可能な、揚重機と、
前記第２の支持部品が水平な第１の方向において移動可能に取り付けられる第２のガイド、を有し、前記第２の支持部品を支持する第３の支持部品と、
を具備し、
前記第２のガイドは、上下方向に延びる第１の壁と、前記第１の壁の上方の端部から、前記第１の方向と交差するとともに水平な第２の方向に延びる第２の壁と、前記第１の壁の下方の端部から前記第２の方向に延びる第３の壁と、を有し、
前記第２の支持部品は、前記第２の壁の上方に位置して前記第２の壁に沿って延びる第４の壁と、前記第４の壁の端部から下方に延びる第５の壁と、前記第５の壁に取り付けられて前記第２の壁と前記第３の壁との間に位置するガイドローラと、を有する、
エレベータ用品揚重装置。
【請求項２】
前記揚重機は、前記第１の取付部から取り外し可能であり、
前記第１の支持部品は、前記台の下方に位置するローラを有し、前記第２の支持部品から取り外し可能であり、前記ローラにより走行可能である、
請求項１のエレベータ用品揚重装置。
【請求項３】
前記台は、上方向に向く載置面を有し、
前記第１の取付部は、上下方向における前記載置面と同一の位置、又は前記載置面よりも下方の位置、に設けられる、
請求項１又は請求項２のエレベータ用品揚重装置。
【手続補正２】
【補正対象書類名】明細書
【補正対象項目名】０００５
【補正方法】変更
【補正の内容】
【０００５】
一つの実施形態に係るエレベータ用品揚重装置は、第１の支持部品と、第２の支持部品と、揚重機と、第３の支持部品とを備える。前記第１の支持部品は、台と、第１の取付部と、を有する。前記第２の支持部品は、前記第１の支持部品が上下方向において移動可能に取り付けられた第１のガイドと、前記第１の取付部に対して上方に位置する第２の取付部と、を有する。前記揚重機は、前記第１の取付部と前記第２の取付部とに取り付けられて前記第１の支持部品を支持し、前記第１の支持部品を上下方向に移動させることが可能である。前記第３の支持部品は、前記第２の支持部品が水平な第１の方向において移動可能に取り付けられる第２のガイド、を有し、前記第２の支持部品を支持する。前記第２のガイドは、上下方向に延びる第１の壁と、前記第１の壁の上方の端部から、前記第１の方向と交差するとともに水平な第２の方向に延びる第２の壁と、前記第１の壁の下方の端部から前記第２の方向に延びる第３の壁と、を有する。前記第２の支持部品は、前記第２の壁の上方に位置して前記第２の壁に沿って延びる第４の壁と、前記第４の壁の端部から下方に延びる第５の壁と、前記第５の壁に取り付けられて前記第２の壁と前記第３の壁との間に位置するガイドローラと、を有する。
【手続補正３】
【補正対象書類名】明細書
【補正対象項目名】００９８
【補正方法】変更
【補正の内容】
【００９８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、出願当初の特許請求の範囲の内容について付記する。
［１］
載置されたエレベータ用品を下方から支持するよう構成された台と、第１の取付部と、を有する第１の支持部品と、
前記第１の支持部品が上下方向において移動可能に取り付けられた第１のガイドと、前記第１の取付部に対して上方に位置する第２の取付部と、を有する第２の支持部品と、
前記第１の取付部と前記第２の取付部とに取り付けられて前記第１の支持部品を支持し、前記第１の支持部品を上下方向に移動させることが可能な、揚重機と、
を具備するエレベータ用品揚重装置。
［２］
前記第２の支持部品が水平な第１の方向において移動可能に取り付けられる第２のガイド、を有し、前記第２の支持部品を支持する第３の支持部品、
をさらに具備する、［１］のエレベータ用品揚重装置。
［３］
前記第２のガイドは、上下方向に延びる第１の壁と、前記第１の壁の上方の端部から、前記第１の方向と交差するとともに水平な第２の方向に延びる第２の壁と、前記第１の壁の下方の端部から前記第２の方向に延びる第３の壁と、を有し、
前記第２の支持部品は、前記第２の壁の上方に位置して前記第２の壁に沿って延びる第４の壁と、前記第４の壁の端部から下方に延びる第５の壁と、前記第５の壁に取り付けられて前記第２の壁と前記第３の壁との間に位置するガイドローラと、を有する、
［２］のエレベータ用品揚重装置。
［４］
前記揚重機は、前記第１の取付部から取り外し可能であり、
前記第１の支持部品は、前記台の下方に位置するローラを有し、前記第２の支持部品から取り外し可能であり、前記ローラにより走行可能である、
［１］乃至［３］のいずれか一つのエレベータ用品揚重装置。
［５］
前記台は、前記エレベータ用品を支持するよう構成された載置面を有し、
前記第１の取付部は、上下方向における前記載置面と同一の位置、又は前記載置面よりも下方の位置、に設けられる、
［１］乃至［４］のいずれか一つのエレベータ用品揚重装置。